(57)【要約】      （修正有）【課題】預貯金の目標金額と期間を定めた場合、今日現在の入金額、入金日数を容易に把握出来る預貯金用装置を提供する。【解決手段】預貯金箱に取り付けた手動式数取機５によって、入金額、入金日数を容易に把握出来ることを特徴とする。【選択図】図１
0003210918.tif 000002
【実用新案登録請求の範囲】
【請求項１】
貯金箱に手動式数取機を取り付けた預貯金用装置。
【請求項２】
前記手動式数取機は、前記貯金箱に金銭を入金する際に少なくとも月又は日に該当する数字を明示することが出来る請求項１に記載の預貯金用装置。
【請求項３】
預貯金の目標額又は期間を定めた際に、入金開始日と終了予定日を記載できる記入欄を前記貯金箱に設けた請求項１又は請求項２に記載の預貯金用装置。
【考案の詳細な説明】
【技術分野】
【０００１】    本考案は、手動式の数取機によりコイン、紙幣に関わらず入金した日を覚えておける機能を付加した預貯金用の装置に関するものである。
【背景技術】
【０００２】    従来、預貯金用の装置としては、入金する為のスリット状の孔があり、金銭の取出し用には、入金用とは別に大きさの大きい孔があるもの、あるいは装置本体を破壊しなければ取り出せないものなど、多様な形状のものが市販されている。【０００３】    また、特許文献として様々な機能を付加した装置も提案されているが、預貯金目標額に対して現在の入金額を簡単に把握することが出来る様に手動式の数取機を代用して入金した月・日を表示・識別すると共に、入金を忘れた月数分又は日数分を簡単に確認出来て、入金の金額及び金銭の種類に関わらず簡単に月・日の表示を変更出来るものはいまだかつて、提案されていない。日付、時間等の表示機能付き預貯金装置に関する参考文献としては以下の事例が挙げられる。
【先行技術文献】
【特許文献】
【０００４】
【特許文献１】実開平０４−００３０２１号  公報
【特許文献２】実登３１２８１９９号  公報
【特許文献３】特開２００３−１４４２１３号  公報
【特許文献４】特開２００５−２９６５６０号  公報
【特許文献５】特開平１０−９１０６７号  公報
【特許文献６】実開平６−２１０６７号  公報
【特許文献７】実開平６−５００６９号  公報
【考案の概要】
【考案が解決しようとする課題】
【０００５】    実開平０４−００３０２１号は、コインを入れた枚数分の数字を表示・識別出来る機能を持ち曜日を識別する表示板を持つものでコインによるカレンダー機能に着目したものである。実登３１２８１９９号は、コインを入金することで、内蔵されているアラームが停止する機能を持ち、目覚まし機能に着目した提案である。特開２００３−１４４２１３号は、紙幣に限定しており、記録方法として鉛筆、ペン等の筆記用具を必要とするものである。特開２００５−２９６５６０号は、コインを入金する度に、日付が自動で変更される仕組みを付加したもので、カレンダー機能に着目したものである。特開平１０−９１０６７号は、年号、月・日・干支の各表示体を用意しなければならず、月が替わるごとに日付の位置を入れ替えするカレンダー機能を重視した提案である。実開平６−２１０６７号は、内筒状の回転式日付表示機能を有したカレンダーに工夫をしたものであり、貯金箱の入金動作には関係なく使用するものである。実開平６−５００６９号は、前述の特許文献１と同様に、内筒状の回転式日付表示機能を有したカレンダーに工夫をしたものであり、貯金箱の入金動作には関係なく使用するものである。【０００６】    これらの先行技術文献として挙げた例に提案されている預貯金用の装置は、カレンダー機能を目的としたものは日付を明示する機能を付加し毎日日付を更新することを前提としており、カレンダーと同様にあるいはカレンダーの代わりに利用出来ることを目的とするものである。また、目覚まし機能を付加した装置は、本発明の目的とする目標額に対する現在の入金額を確認することが出来ないし、入金しなかった月数・日数分を直ちに確認することは出来ない。【０００７】    本考案は、一定期間の預貯金目標額に応じて１日当たりの入金額を定めた場合に、入金した回数を忘れることなく表示して今日現在までの達成状況を確認出来ると共に、入金が出来なかった場合でもその日数分の金額を紙幣、コインに関わらず必要な日数分をまとめた金額で入金して直ちに今日現在まで入金したことを、非常に簡便に表示することが出来る目標金額達成の為に最適な預貯金装置の提供を課題としている。
【課題を解決するための手段】
【０００８】    本考案者は、入金する際の動作に着目し入金した際に同じ回数の動作をさせることで入金回数の表示を容易にし、且つ入金者が金銭を入れる楽しみになる動作を合わせて提供する為に、手動式数取機が有効であることを見出した。【０００９】    この預貯金用装置は、預貯金箱に手動式数取機を取り付けた預貯金用装置であって、この手動式数取機は金銭を入金する際に少なくとも月、日に該当する数字を明示することが出来る預貯金用装置である。また、預貯金の目標額又は期間を定めた際に、入金開始日と終了予定日を記載できる記入欄を預貯金箱に設けた預貯金用装置である。【０００１０】    すなわち、入金動作１回につき数取り機の押し具を１回押すことで数取機に回数が表示されることを特徴とする。
【考案の効果】
【０００１１】    本考案によれば、例えば年間３，６５０円を目標額とした場合、１日１０円の入金が目標となり入金する度に数取機を１回動作させればよい。しかしながら、毎日の入金は日常生活において様々な都合により、単純に忘れた場合や長期の不在になる場合など少なくとも１日以上、忘れることも考慮しなければならない。【０００１２】    例えば、長期の旅行等により２週間入金が出来なかった場合、目標額に対して１４０円の差が発生することになり追加して入金しなければならない。しかしながら、１０円玉で１４枚を入金するには持ち合わせがないこともあり、１０円玉４枚と１００円玉１枚ならば持ち合わせがあることもある。あるいは他のコインの組み合わせでもよい。【０００１３】    一定期間、入金が出来なかった場合の追加入金額は目標金額に応じてどんなコインの組み合わせであっても問題なく、また紙幣を併用してもよく、まとめて入金をした際にその入金額は目標で定めた１日の入金額の倍数分に相当する数だけ数取機を動作させればよいのである。すなわち、本考案は、前記課題を解決すべく、手動式数取機を取り付けた預貯金装置が用いられており、入金しなかった期間があっても入金の仕方に関わらず投入すべき入金回数を直ちに確認出来ることを特徴とする。【００１４】    また、本考案は、前記課題を解決すべく、預貯金装置本体に手動式数取機が固定されており日常生活において設置する場所の制限が無くいつでも入金する際に目標までの金額、期間を把握できるものである。【００１５】    また、目標金額を覚えておく為に本体に入金開始日と場合によっては終了日も任意に記述することで目標に達成すれば、内容を書き換えることによって繰り返し使用できる出来ることを特徴とする預貯金用装置を提供する。その記述の方法としては、ラベル等の張り替えによるものでもよい。
【図面の簡単な説明】
【００１６】
【図１】この考案の実施例１を示す傾斜図である
【図２】この考案の一実施形態として目標金額・期間等を記入するラベルである
【図３】この考案の実施例２を示す傾斜図である。
【考案を実施するための形態】
【００１７】    以下に、本考案の好ましい実施の形態について、説明する。まず、本実施形体に求めれる預貯金装置の入金する為の本体の、材質、容積、形状、色相、重量は特に限定されるものでは無く、一般的に市販されている材質で良い。例えば、プラスチック成型品で用いられる様な、ポリエチレン樹脂、ポリプロピレン樹脂、ウレタン樹脂、ポリカーボネート樹脂、ＡＢＳ樹脂、アクリル樹脂、ポリエチレンテレフタレート樹脂、ポリブチレンテレフタレート樹脂、ナイロン樹脂、塩化ビニル樹脂、セルロイド樹脂、スチレン樹脂、天然ゴム、エチレンプロビレンゴム、シリコーンゴム、テフロン樹脂、テフロンゴム等、またはこれらの混合樹脂すなわち一般的にはアロイと呼ばれる素材である。他には、木材、木粉加工板、木材を使用した合板、金属、紙、繊維、ガラス、陶器等、様々な材質があげられるが、その他にもスーパーエンプラ等の特殊なプラスチック樹脂でも製造は可能であり、特に材質を限定するものでは無い。特に好ましい材質としては、強度、製造コスト、製造方法等の汎用性を考慮すると、ＡＢＳ樹脂、ポリカーボネート樹脂、ポリプロピレン樹脂、ポリエステル樹脂等、またはこれらのアロイが挙げられる。
【００１８】    取出し用の穴は、特に大きさを限定するものではないが、簡単すぎる取り出し方では預貯金装置としての目的が十分達せられないことも考慮すると、人の指が漸く入る程度の穴の大きさとして、蓋をすればよい。例えば、市販の広口瓶、すなわち一般的にマヨネーズ瓶と呼ばれているガラス製の瓶の内蓋等に採用されているポリエチレン製のもので瓶の口径４７ｍｍに対応できる蓋として、穴の大きさも内蓋に合わせた大きさにすればよい。他には、金属製、木製、ガラス製など、穴の大きさに対して自在に加工できる材質で良いがコスト的に有利な市販品を代用するのが良い。
【００１９】    容積は、目標金額に対してどの様な入金の仕方によるかで入金した金銭の占める容積が変わるのであって特に限定するものでは無いが、目安としては一般的に入金するコインの一番大きいものとして５００円玉が挙げられ、目標期間を１年間に想定した場合は、５００円玉で３６５枚程度が入金出来る容積が必要となると想定される。また、紙幣の場合には千円札、五千円札、一万円札等となるが、同様に、目安として１年間の目標期間を想定すると、３６５枚分程度が効率よく入金出来る形状、容積にすればよい。
【００２０】    形状、色相も特に限定されるものでは無く使用者にとって様々な好みがあり預貯金の目的も様々であることから販売・配布等をする対象使用者の好みを想定して設計することが望ましい。
【００２１】    重量については、材質、形状、容積を設計した際に決まるものであり特に限定するものでは無いが、本発明の使用方法から考慮すると設置する場所が特定されれば頻繁に移動することはまれである為、一般的に素手で取り扱い出来る重量が好ましくあえて重り等を付加して著しく重量を重くする必要は無い。
【００２２】    即ち、本考案における入金用の構造部の設計は特に成約されるものでは無く一般的な預貯金用装置の素材、形状、色相、容積で製造出来るものであればよい。
【００２３】    一方、この預貯金用装置に取り付ける手動式数取機は一般的に４桁の数字が表示されるものが使用出来、取り付ける数取機の材質、個数も限定するものでは無い。
【００２４】    取り付ける数取機の個数は、目標達成までの期間を１年にした場合、必ず１日１回の入金を前提にすれば、１個の数取り機を取り付けて３６５回の入金回数を表示すればよいが、仮に入金出来なかった日が発生すればその日数分の入金額とコイン・紙幣の組み合わせに関わらず入金出来なかった日数分だけ数取り機を動作させればよい。
【００２５】    しかしながら、目標期間が長期すなわち数ヶ月以上の期間を想定すると、長期に入金出来なかった場合、例えば少なくとも１か月以上にわたり入金が出来なかった場合は、最低でも２８回の動作が必要となり使用者は不便に感じる可能性もあるし、開始日から経過した今日現在日数と入金した日数との差を確認する場合開始日から目標日までの期間の入金回数を通算して数える場合も１か月の日数を元に計算しなければならなくなる。この問題は、２個以上の数取機を取り付けることで容易に解決できる。
【００２６】    すなわち、１つの数取機は日、もう一つの数取機は月の数字を表すことに決めておけば丁度１か月間入金が出来なかった場合は、月を表すための数取機を１回動作させて数字を進めておけば、１か月分の日数に相当する回数を動作させる必要は無く非常に簡単に入金にかかる日数を調整出来のである。
更にもう一つの数取り機を増やして３個使用すれば、それぞれ、年、月、日を表示することも出来るのである。
【００２７】    更に、前もって一定期間の入金を済ませたい場合、例えば１か月間先の分を入金する場合は、相当金額をどのようなコイン、紙幣の組み合わせでもよく入金した際に月を表示する為の数取機の数字をひとつ進めればよいのである。
【実施例】
【００２８】    次に実施例を挙げて更に詳しく説明するがこれらに限定されるものではない。【００２９】    実施例１として、預貯金装置本体の素材として、木粉を原料にした厚さ５ｍｍの木粉ボードを用いて本体の１辺が８０ｍｍの箱型になる様に最適な寸法に切断して接着剤で組み合わせる。上面には、入金用にスリット状の孔として５ｍｍ幅×５０ｍｍの孔を設ける。本体の下面にあたる部品としては、８０ｍｍ×１６０ｍｍの大きさにして、上部の箱型に対して、ほほ中央にあたる部分に、４５．５ｍｍΦの穴をあけ金銭取出し口とする。【００３０】    上部の箱型部品は、入金部のスリット孔を奥側にして下面の穴あき部品の一方に接着剤で取り付け８０ｍｍ×８０ｍｍの板が手前にはみ出している形状とする。【００３１】    前述のはみ出している板の部分に、数取機のリセットつまみを容易に回せる様な間隔をあけてネジ止めにより２個取り付ける。（図１）°【００３２】    上面に目標額、期間、参加者等を記入する為のラベルを貼りつけておけば、入金が満額に達成するまでの期間を意識することが出来る。また、このラベルの材質は特に限定されるものでは無いが、書き換えが出来る性能のラベルを使用することで、目標額、期間、参加者等が変わっても、何回も使用出来る為使用者にとっては大変都合がよいのである。（図２）【００３３】    次に実施例２として、預貯金装置本体の素材としてＡＢＳ樹脂を用いてブロー成型法によって成形する。大きさとして箱型の入金部は８０ｍｍ×８０ｍｍの立方体形状として、上面には、入金用にスリット状の孔として５ｍｍ幅×５０ｍｍの孔を設ける。本体の下面にあたる部分は、上部の箱型のほほ中央にあたる部分に取出し用の穴を設ける。箱型の本体の手前には、数取機と同じ形状で半分程度の深さを埋め込みが出来るような大きさと高さの穴が設けられており、且つカシメの効果で固定できる寸法で製造する。実施例１の様なネジ止めは必要としない。（図３）
【符号の説明】
【００３４】１．入金孔
２．目標記載ラベル
３．金銭取出し穴
４．リセットつまみ
５．数取機本体
６．カウント押し具
７．数字表示窓（例として３月２１日を表示している）
８．数取機埋め込み部
【図１】
0003210918.tif 000003
【図２】
0003210918.tif 000004
【図３】
0003210918.tif 000005